(57)【特許請求の範囲】
【請求項１】
被取付面（Ｋ）に固着される取付片（21）を有し、手摺り棒（１）を支持するブラケット（２）と、
上記手摺り棒（１）近傍の明るさを検知するための明暗センサ（31）と、人の存在を検知するための感知センサ（32）と、上記ブラケット（２）の前方下方の人歩行面（Ｙ）に向かって照射するＬＥＤ灯（33）と、ＬＥＤ灯用蓄電池（34）と、を内有し、上記ブラケット（２）の上記取付片（21）に外嵌状に取着してブラケット装飾カバーを兼用するケーシング（３）と、
を備え、
上記ケーシング（３）は、上記明暗センサ（31）と上記感知センサ（32）と上記ＬＥＤ灯（33）と上記ＬＥＤ灯用蓄電池（34）とを保持する保持ケース部材（５）と、センサ用窓部（64）と上記ＬＥＤ灯（33）の光が透過可能な透光部（63）とを有するカバー部材（６）と、を備え、
上記保持ケース部材（５）は、上記被取付面（Ｋ）に固着後の上記ブラケット（２）の上記取付片（21）に、着脱自在に取着し、
上記カバー部材（６）は、上記保持ケース部材（５）の前面側と左右側面側と下面側を包囲するように上記保持ケース部材（５）に着脱自在に外嵌状に取着することを特徴とする手摺り用照明構造。
【発明の詳細な説明】
【技術分野】
【０００１】
本発明は、手摺り用照明構造に関する。
【背景技術】
【０００２】
従来、廊下や階段を夜間に歩行する際に、天井の照明を点灯させなくても、手摺り棒の内部に設けた照明器で周辺を照らして、安全に歩行できるようにした手摺り用照明構造があった（例えば、特許文献１参照）。
【先行技術文献】
【特許文献】
【０００３】
【特許文献１】特開２００１−１０７５３１号公報
【発明の概要】
【発明が解決しようとする課題】
【０００４】
しかし、手摺り棒内に照明器収納空間を設ける必要や、その収納空間と手摺り棒の強度を両立させる必要があるため、手摺り棒の形状や材質、寸法等が制限されるといった問題があった。つまり、手摺り棒の設計自由度が低くなるといった問題があった。
【０００５】
そこで、本発明は、手摺り棒の設計自由度を低下させることなく、手摺り棒周辺を照らすことが可能な手摺り用照明構造の提供を目的とする。
【課題を解決するための手段】
【０００６】
上記目的を達成するために、本発明の手摺り用照明構造は、被取付面に固着される取付片を有し、手摺り棒を支持するブラケットと、上記手摺り棒近傍の明るさを検知するための明暗センサと、人の存在を検知するための感知センサと、上記ブラケットの前方下方の人歩行面に向かって照射するＬＥＤ灯と、ＬＥＤ灯用蓄電池と、を内有し、上記ブラケットの上記取付片に外嵌状に取着してブラケット装飾カバーを兼用するケーシングと、を備え、上記ケーシングは、上記明暗センサと上記感知センサと上記ＬＥＤ灯と上記ＬＥＤ灯用蓄電池とを保持する保持ケース部材と、センサ用窓部と上記ＬＥＤ灯の光が透過可能な透光部とを有するカバー部材と、を備え、上記保持ケース部材は、上記被取付面に固着後の上記ブラケットの上記取付片に、着脱自在に取着し、上記カバー部材は、上記保持ケース部材の前面側と左右側面側と下面側を包囲するように上記保持ケース部材に着脱自在に外嵌状に取着する構造である。
【発明の効果】
【０００７】
本発明によれば、手摺り棒内部に、照明器収納空間を設ける必要が無く、手摺り棒を様々な形状や材質で形成できる。壁面等の被取付面に、ＬＥＤ灯や感知センサを取り付ける専用の保持具や取付空間が必要なく、施工を容易かつ迅速に行うことができると共に美観に優れた手摺り構造が得られる。
【図面の簡単な説明】
【０００８】
【図１】本発明の実施の一形態を示す斜視図である。
【図２】側面図である。
【図３】要部分解斜視図である。
【図４】要部分解斜視図である。
【図５】図３の要部横断面図である。
【図６】使用状態を示す斜視図である。
【図７】参考例を示す側面図である。
【図８】参考例の要部分解斜視図である。
【発明を実施するための形態】
【０００９】
以下、図示の実施形態に基づき本発明を詳説する。
本発明に係る手摺り用照明構造は、図１及び図２に示すように、歩行を補助するための手摺り棒１を下方から支持すると共に、鉛直面状の壁面等の被取付面Ｋに固着されるブラケット２を備えている。
そして、手摺り棒１（ブラケット２）近傍の明るさを検知して明暗を判定するための明暗センサ31と、人の存在を検知するための感知（人感）センサ32と、ＬＥＤ灯33と、乾電池等のＬＥＤ灯用蓄電池34と、制御回路基板35とを、内有するケーシング３を、ブラケット２に取着している。
【００１０】
図２に示すように、ケーシング３は、（ブラケット２において）手摺り棒１（の軸心）よりも下方部位、かつ、（ブラケット２において）手摺り棒１よりも被取付面Ｋ側部位に取着している。
手摺り棒１よりも被取付面Ｋ側に取着とは、被取付面Ｋから手摺り棒１の前面１ａまでの手摺り棒突出寸法Ｓよりも、被取付面Ｋからケーシング３の前面３ａまでのケーシング突出寸法Ｚが小さくなるように取着することである。
【００１１】
ブラケット２は、被取付面Ｋにネジ止め等の固着手段（ネジ部材等の固着具）９によって固着される取付片21と、取付片21の上端から前方上方へ突出する手摺り棒支持用アーム部22と、を有している。
アーム部22は、板状の取付片21の上端から前方へ水平状に突出する板状の突出部22ａと、突出部22ａの前端から前方上方へ（傾斜状乃至弯曲状に）延伸する板状の曲がり部22ｂと、曲がり部22ｂの上端から上方へ延伸した鉛直板状の手摺り棒支持部22ｃと、を有している。
【００１２】
ケーシング３は、取付片21に外嵌状に取着し、取付片21や固着具９を歩行者等の人から隠して、美観を向上させている。つまり、ケーシング３はブラケット装飾カバーを兼用している。また、平面視（真上から見て）突出部22ａによって、ケーシング３が殆ど見えないように（ケーシング３の７５％以上が隠れるように）、突出部22ａとケーシング３との平面視形状を設定している。
【００１３】
図３に示すように、ケーシング３は、明暗センサ31と検知センサ32と複数のＬＥＤ灯33と複数のＬＥＤ灯用蓄電池34と制御回路基板35とを保持する保持ケース部材５と、保持ケース部材５に着脱自在に外嵌状に取着するカバー部材６と、を備えている。
【００１４】
保持ケース部材５は、ＬＥＤ灯33がブラケット２（被取付面Ｋ）の前方下方に向かって照射するように、ＬＥＤ灯33の照射側先端部を、前方下傾状に保持している。つまり、ＬＥＤ灯33を側面視でアーム部22の基部と取付片21の隅部に設けている。
また、ブラケット２から保持ケース部材５を取り外さなくとも、カバー部材６のみを取り外せば、ＬＥＤ灯用蓄電池34の交換が可能な電池ホルダ部52を有している。保持ケース部材５は大量生産が容易な樹脂製が好ましい。
【００１５】
カバー部材６は、保持ケース部材５の前面側、左右側面側、下面側（取付片21の前面、左右側面、下面）を包囲するように、保持ケース部材５に取着して、図１及び図２に示すように、ケーシング３とアーム部22とが一体状のような（ケーシング３がアーム部22を下方から支持しているような、或いは、ケーシング３から曲がり部22ｂや手摺り棒支持部22ｃが突出しているような）外観を演出して、美観を向上させている。また、カバー部材６は、被取付面Ｋに当接し、被取付面Ｋからケーシング３が突設されているような外観も演出する。なお、カバー部材６は、保持ケース部材５の上面を覆うように設けても良い。
また、カバー部材６にＬＥＤ灯33の光が透光可能な透光部63やセンサ用窓部64を設けている。透光部63はＬＥＤ灯33の光を広範囲に拡散可能な材質で形成し、透光部63を除いた残部は、樹脂製、金属製、木製等自由であるが、大量生産や装飾が容易な樹脂製が好ましく、ブラケッット２や手摺り棒１や被取付面Ｋの材質に近い質感や色彩を有するように装飾や塗装をするのが好ましい。
【００１６】
明暗センサ31は、手摺り棒１（ブラケット２）近傍の明るさを検知して明るさが暗いと判定した場合に暗信号を発信する。
また、明暗センサ31は、ＬＥＤ灯33の明るさが、明暗判定に影響しないように設けている。例えば、ブラケット２の近傍かつＬＥＤ灯33の照射域外の明るさを検知するように設けている。或いは、ＬＥＤ灯33の点灯中は暗信号を発信するように設けている。
【００１７】
感知センサ32は、ブラケット２近傍に人の存在を検知して人が存在する場合に、人感知信号を発信する。
また、感知センサ32は、タイマーを内有し、人を検知した後に、点灯所定時間、人検知信号を発信するものである。つまり、制御回路基板35は、ブラケット２近傍から人が居なくなっても、点灯所定時間だけＬＥＤ灯33が点灯するように構成している。また、点灯所定時間は、１分以上５分以下が望ましい。
また、感知センサ32は、手摺り棒１に沿ってブラケット２の真正面に歩行者が到着するよりも前に検知可能な（ブラケット２を中心として歩行方向上流側の歩行者を検知可能な）広角の検知範囲性能を有するのが望ましい。
【００１８】
制御回路基板（制御部）35は、暗信号を受信し、かつ、人感知信号を受信した場合に、ＬＥＤ灯33の点灯を開始するように構成している。
つまり、制御回路基板（盤）35は、手摺り棒１を十分に視認可能な明るさの場合は、手摺り棒１近傍に人がいても、ＬＥＤ灯33が点灯しないように構成している。
【００１９】
また、図３乃至図５に示すように、ケーシング３は、被取付面Ｋに固着後の取付片21に、着脱自在に取着している。故障等が発生した場合に、被取付面Ｋからブラケット２を取り外すことなく、ケーシング３を交換でき、修理やメンテナンスを容易にしている。
【００２０】
具体的には、図５に示すように、保持ケース部材５の背壁部51に上下方向に沿った横断面Ｔ字型空間を形成する蟻溝部55を設け、さらに、取付片21の背面側かつ左右中間位置に上下方向に沿った凸条部21ａを設けて、取付片21の左右側縁部21ｂ，21ｂと被取付面Ｋとの間に上下方向に沿った左右一対の差込用空間21ｄ，21ｄを形成して、取付片21が蟻溝部55内を上下方向にスライドして抜き差し（着脱）可能に構成している。つまり、取付片21を蟻溝部55に抜き差し可能な横断面Ｔ字型の帯板形状としている。
【００２１】
また、図示省略するが、取付片21から保持ケース部材５の脱落を防止する、抜け止め手段を備えている。抜け止め手段は、取付片21及び保持ケース部材５の一方に弾性変形可能な抜止用凸部（爪部）を設け、他方に抜止用凹部（爪掛かり部）を設けたものである。また、抜け止め手段の他の例として、取付片21と保持ケース部材５との摩擦力によって脱落を防止しても良い。
【００２２】
なお、取付片21と保持ケース部材５の着脱構造は、上述の上下方向蟻溝スライド型に限らず、取付片21の左右側壁部に係止用凹部を設け、保持ケース部材５の左右側壁部内面側に係止用爪部を設けて、保持ケース部材５を、取付片21の前方から接近させ、係止用爪部を弾性変形させて、取付片21に挟持状乃至抱き込み状に取着する着脱構造としても良い。特に、ドライバーやレンチ等の工具を使用せずに着脱可能なものが好ましい。
また、保持ケース部材５とカバー部材６の着脱構造は、スライド嵌め込み型や係止凹凸部型、係止爪型等自由であるが、ドライバーやレンチ等の工具を使用せずに着脱可能なものが好ましい。
【００２３】
次に、本発明の手摺り用照明構造の使用方法（作用）について説明する。
先ず、図４に示すように、ブラケット２の取付片21を、廊下や階段、玄関の壁面等の被取付面Ｋに固着する。ブラケット２のみを、被取付面Ｋに固着すれば良いので、位置決めや、ネジの下孔あけ、ネジ締め作業（被取付面固定作業）が容易に行える。
【００２４】
被取付面Ｋに固着後の取付片21に、保持ケース部材５を下方から接近させて、図５に示すように、蟻溝部55内に取付片21を差込状として取着し、図３に示すような取付状態となる。
保持ケース部材５の取付作業と、手摺り棒１の取付作業を略同時に、或いは、所望の取付作業から行うことができ、作業効率が向上する。
【００２５】
その後、保持ケース部材５にカバー部材６を包囲状に取着して、図１及び図２に示すように、ブラケット２が装飾され、ケーシング取付作業が終了する。なお、予め、保持ケース部材５にカバー部材６を取着して、その後、被取付面Ｋに固着後のブラケット２に取着しても良い。
【００２６】
施工者は、複数のブラケット２を、被取付面Ｋに所定の施工ピッチ寸法をもって固着し、夫々のブラケット２に、ケーシング３を取着すると共に、手摺り棒１を支持させて、手摺りの施工が終了する。
明暗センサ31と、感知センサ32と、ＬＥＤ灯33と、ＬＥＤ灯用蓄電池34と、制御回路基板35とを、夫々のケーシング３に内蔵しているので、天井や床下、壁内部等に、センサ用配線や電気供給用配線、コンセントの設置等を行う必要がなく、様々な生活空間に容易かつ迅速に対応できる。
また、手摺り棒１の内部に配線や照明が必要なく、通路の角部や隅部、階段の踊り場等に合わせて、弯曲（カーブ）した手摺り棒１や、デザイン性の高い美観に優れた手摺り棒１を用いる（設計する）ことが可能となる。
【００２７】
そして、図６に示すように、夜間や停電等の場合に、歩行者が手摺り棒１に沿って歩行して、ブラケット２に接近すると、ＬＥＤ灯33が、ブラケット２の前方下方であり、これから歩行者が進む歩行予定区域の人歩行面Ｙに向かって照射する。
歩行者は、暗い中で天井側照明器のスイッチを探す必要がなく、安全に歩行できる。
【００２８】
さらに、歩行者が手摺り棒１に沿って歩行すると、進行方向にある次のブラケット２に取着された感知センサ32が、人を検知し、ＬＥＤ灯33が点灯する。また、歩行者が通過したブラケット２に取着されているＬＥＤ灯33は、タイマーにより、人通過後も点灯し、点灯所定時間を過ぎると自動消灯する。
【００２９】
つまり、昼間や天井照明器点灯中等、所定の明るさがある場合又は人がいない場合は、ＬＥＤ灯33は点灯せず、夜間等所定の暗さの場合に、手摺り棒１に沿って歩行する人がいると、その歩行場所に伴って、ブラケット２の下方前方が（歩行者の歩行速度や位置に対応するように）次々と照らされると共に、通過したブラケット２に取着されているＬＥＤ灯33は、（点灯所定時間経過後）次々と消灯して、電力消費量を抑える。
【００３０】
なお、手摺り棒１に沿って隣り合うブラケット２，２に、夫々取着されたＬＥＤ灯33，33及び感知センサ32，32において、一方のブラケット２のＬＥＤ灯33の照射域及び感知センサ32の人感知域と、他方のブラケット２の照射域及び人感知域とが、僅かに重複するように、ブラケット２，２の施工ピッチ寸法と、ＬＥＤ灯33，33と、感知センサ32，32と、を設けるのが望ましい。このように設けることで、歩行者の歩行に伴って、進行方向が常にＬＥＤ灯33で照らされるようになり、安全性が向上する。
【００３１】
次に、図７及び図８に示す参考例について説明する。
ブラケット２は、円形板状の取付片21と、取付片21から前方上方へ突出するエルボ形状の手摺り棒支持用アーム部22と、を有している。
アーム部22は、取付片21の中央部から前方へ水平状に突出する棒状の突出部22ａと、突出部22ａの前端から前方上方へ弯曲状に延伸する棒状の曲がり部22ｂと、曲がり部22ｂの上端に設けられた円弧状の手摺り棒支持部22ｃと、を有している。
【００３２】
ケーシング３は、半球殻型（正面視円形状かつ側面視丸山型）に形成され、取付片21の前面と外周面、及び、アーム部22の基部を包囲するように、取付片21の外周面に外嵌状に着脱自在に取着（係合して）している。取付片21及び固着具９を隠しつつ、ケーシング３からアーム部22が突出しているような一体状の外観を演出して美観を向上させている。
【００３３】
また、ケーシング３は、図８に示すように、正面視半円型の保持ケース部材（第１ケース部材）５と、保持ケース部材５の内部を隠す正面視半円型のカバー部材（第２ケース部材）６とに（取付片21のラジアル外方へ）着脱自在に分割されるものである。
半円ドーム状の保持ケース部材５及び半円ドーム状のカバー部材６は、アーム部22の基部を逃がすための切欠部15を有し、アーム部22の基部と取付片21に外嵌状に配設され、相互に取着して（アーム部22の基部と取付片21を挟むようにして合体して）ケーシング３を形成する。また、ケーシング３は被取付面Ｋに接し、被取付面Ｋとの一体感を演出して美観を向上させる。そして、図７及び図８に示した参考例では、既設のブラケット２に対して、後付け等によって簡単に取付けできる利点がある。或いは、複数配設されるブラケット２の内の所望のものにのみ選択的に取付けることも容易である。他の構成及び作用は図１乃至図６の実施形態と同様である。
【００３４】
なお、本発明は、設計変更可能であって、ブラケット２の形状は自由である。例えば、ブラケット２のアーム部22の先端部（手摺り棒支持部22ｃ）は、Ｙ字形状やＵ字形状、或いは、手摺り棒１に外嵌状に取着して支持する円筒形状等自由である。また、ブラケット２のアーム部22は板状に限らず、円柱状や棒状、パイプ状であっても良い。また、取付片21は、正面視矩形状に限らず、正面視長円形乃至円形状等自由である。また、手摺り棒１及びブラケット２の材質は、金属製、木製、樹脂製等自由である。ＬＥＤ灯用蓄電池34は、各センサ31，32や制御回路基板35を作動させる電源としても良い。
【００３５】
以上のように本発明の手摺り用照明構造は、手摺り棒１を支持すると共に被取付面Ｋに固着されるブラケット２に、人の存在を検知するための感知センサ32と、ＬＥＤ灯33と、を取着したので、手摺り棒１内部に、照明器収納空間を設ける必要が無く、手摺り棒１を様々な形状や材質で形成できる。壁面等の被取付面Ｋに、ＬＥＤ灯33や感知センサ32を取り付ける専用の保持具や取付空間が必要なく、施工を容易かつ迅速に行うことができると共に美観に優れた手摺り構造が得られる。
【００３６】
また、感知センサ32と、ＬＥＤ灯33と、手摺り棒１近傍の明るさを検知するための明暗センサ31と、ＬＥＤ灯用蓄電池34とを、内有するケーシング３を備え、手摺り棒１よりも下方部位、かつ、手摺り棒１よりも被取付面Ｋ側部位に、ケーシング３を取着し、ＬＥＤ灯33は、ブラケット２の前方下方の人歩行面Ｙに向かって照射するので、手摺り棒１の把持や、歩行の邪魔とならず、手摺り棒１周辺の歩行者の進行方向足元を照らすことができる。電気の配線や、コンセントの設置などの電気工事の必要がなく、旅館やホテル、病院や介護施設等様々な生活空間に容易かつ迅速に施工できる。各センサ31，32やＬＥＤ灯33を個別に施工する必要がなく、手摺り棒１や被取付面Ｋ近傍が簡素ですっきりとした外観を得られる。
【００３７】
また、ケーシング３は、被取付面Ｋに固着後のブラケット２に、着脱自在に取着されるので、被取付面Ｋへのブラケット取付作業を容易かつ迅速に行うことができる。ＬＥＤ灯用蓄電池34の交換や、各センサ31，32等の故障の際に、被取付面Ｋからブラケット２を取り外すことなく、ケーシング３ごと交換（取り換え）でき、容易かつ迅速に対応できる。
【００３８】
また、ブラケット２は、被取付面Ｋに固着する取付片21と、取付片21から前方上方へ突出する手摺り棒支持用アーム部22と、を有し、ケーシング３は、取付片21に外嵌状に取着されて、ブラケット装飾カバーを兼用したので、取付片21や固着具９を、歩行者から隠して、美観を向上できる。また、ケーシング３からアーム部22が突出しているような外観を演出でき、ブラケット２に高級感を与えることができる。
【符号の説明】
【００３９】
１  手摺り棒
２  ブラケット
３  ケーシング
５ 保持ケース部材
６ カバー部材
21  取付片
22  手摺り棒支持用アーム部
31  明暗センサ
32  感知センサ
33  ＬＥＤ灯
34  ＬＥＤ灯用蓄電池
63 透光部
64 センサ用窓部
Ｋ  被取付面
Ｙ  人歩行面
【要約】
【課題】手摺り棒の設計的自由度を低下させることなく、手摺り棒周辺を照らすことが可能な手摺り用照明構造を提供する。
【解決手段】手摺り棒１を支持すると共に被取付面Ｋに固着されるブラケット２に、人の存在を検知するための感知センサ32と、ＬＥＤ灯33と、を取着した。
【選択図】図１【図１】
0005575942.tif 000002
【図２】
0005575942.tif 000003
【図３】
0005575942.tif 000004
【図４】
0005575942.tif 000005
【図５】
0005575942.tif 000006
【図６】
0005575942.tif 000007
【図７】
0005575942.tif 000008
【図８】
0005575942.tif 000009